【手続補正書】
【提出日】平成15年9月12日(2003.9.12)
【手続補正１】
【補正対象書類名】明細書
【補正対象項目名】特許請求の範囲
【補正方法】変更
【補正の内容】
【特許請求の範囲】
【請求項１】
動作用電源としての電池を収容した内蔵電池部に本体装置への電源出力をオン／オフするスイッチを備えるとともに、前記本体装置側に前記スイッチのオン／オフ制御を行う制御手段を備えたことを特徴とする電池駆動装置。
【請求項２】
内蔵電池部は、電池パックであることを特徴とする請求項１記載の電池駆動装置。
【請求項３】
制御手段は、本体電源スイッチのオン／オフによるトリガーを基に内蔵電池部側のスイッチのオン／オフ制御を行うことを特徴とする請求項１または２記載の電池駆動装置。
【請求項４】
接続される電子機器に対して電力の供給を行う電力供給ユニットにおいて、
電力の供給源である電池と、
前記電池の出力を、電子機器へ出力するための出力端子と、
前記電池から前記出力端子への出力のオン／オフを切り換えるための切替スイッチと、
前記切替スイッチの切り換えを制御する制御回路と、
前記電子機器と制御用端子を介して電気的に接続され、前記電子機器の操作に応じた信号を得るための制御信号線と、を有し、前記制御回路により、前記制御信号線によって得られる前記電子機器の操作に応じた信号に基づいて、前記切替スイッチの切り換えを行うことを特徴とする電力供給ユニット。
【請求項５】
前記制御回路は、前記制御信号線が前記電池の出力によりプルアップした状態からグランドに接続されることにより電池の出力を前記出力端子に出力するよう前記切替スイッチを切り換えることを特徴とする請求項４記載の電力供給ユニット。
【請求項６】
前記制御回路は、さらに、前記電池の異常を検知して前記切替スイッチの切り換えを行うことを特徴とする請求項４または５記載の電力供給ユニット。
【請求項７】
前記電池は充電可能な電池であり、前記制御回路は、前記電池の異常として過充電を検知し、前記切替スイッチをオフに切り換えることを特徴とする請求項６に記載の電力供給ユニット。
【請求項８】
前記制御回路は、前記電池の異常として、前記電池の出力の過電圧を検知し、前記切替スイッチを切り換えを行うことを特徴とする請求項６記載の電力供給ユニット。
【請求項９】
前記電池は、リチウムイオンバッテリであることを特徴とする請求項４記載の電力供給ユニット。
【請求項１０】
電力の供給を行う電力供給ユニットと、該電力供給ユニットから供給される電力によって動作する電子機器と、からなるシステムにおいて、
前記電力供給ユニットは、電池と、前記電池の出力を、電子機器へ出力するための出力端子と、前記電池から前記出力端子への出力のオン／オフを切り換えるための切替スイッチと、前記スイッチの切り換えを制御する制御回路と、前記制御回路に接続される制御信号線を有し、
前記電子機器は、操作者によって操作されるスイッチであって、前記電力供給ユニットの制御信号線と電気的に接続される電源スイッチを有し、
前記電力供給ユニットの前記制御回路は、前記電源スイッチの操作による前記制御信号線の信号の状態に応じて、前記切替スイッチを切り換え、前記電池から前記電子機器への電力の出力を制御することを特徴とするシステム。
【請求項１１】
前記電源スイッチは一端がグランドに接続されており、
前記制御回路は、前記制御信号線が前記電池の出力によってハイレベルに保持された状態から、前記電源スイッチの操作によりローレベルに変化した場合に、前記スイッチをオンに切り換えることを特徴とする請求項１０記載のシステム。
【請求項１２】
前記制御信号線は、前記電池の出力によってプルアップされることにより、ハイレベルの状態に保持されることを特徴とする請求項１１記載のシステム。
【請求項１３】
前記制御回路は、前記切替スイッチがオフの状態において、前記制御信号線を電池の出力によりハイレベルの状態で保持し、前記制御信号線がグランドに接続されることによりローレベルに変化した場合に、前記切替スイッチをオフからオンに切り換えることを特徴とする請求項１１記載のシステム。
【請求項１４】
前記電源スイッチはタクトスイッチであることを特徴とする請求項１０に記載のシステム。
【請求項１５】
前記電源スイッチは、前記電力供給ユニットの前記制御信号線と電気的に接続され、前記電源スイッチがオンの状態となることにより、前記制御信号線がグランドに接続されることを特徴とする請求項１４に記載のシステム。
【請求項１６】
前記電子機器は、前記電力供給ユニットから電力の供給が遮断した状態から供給が行われる状態となったときに、前記電子機器本体のリセット動作を実行する制御手段をさらに有することを特徴とする請求項１０または１１に記載のシステム。
【請求項１７】
前記電子機器に設けられる電源スイッチは、操作者により押下された状態においてオンの状態となるスイッチであって、
前記電力供給ユニットの制御信号線は、前記電池の出力によりハイレベルに保持された状態において、前記電源スイッチが押下されたとき、ローレベルの状態となり、
前記制御回路は、前記制御信号線がローレベルの状態において、前記電池の出力を前記出力端子に出力するよう前記切替スイッチの切り換えを行うことを特徴とする請求項１０に記載のシステム。
【請求項１８】
前記電子機器は、インクを吐出して記録を行うインクジェット記録装置であることを特徴とする請求項１０に記載のシステム。
【請求項１９】
前記電子機器は、熱エネルギーによりインクを吐出するインクジェット記録装置であることを特徴とする請求項１０に記載のシステム。
【手続補正２】
【補正対象書類名】明細書
【補正対象項目名】００２１
【補正方法】削除
【補正の内容】
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】変更
【補正の内容】
【００２３】
（４）接続される電子機器に対して電力の供給を行う電力供給ユニットにおいて、電力の供給源である電池と、前記電池の出力を、電子機器へ出力するための出力端子と、前記電池から前記出力端子への出力のオン／オフを切り換えるための切替スイッチと、前記切替スイッチの切り換えを制御する制御回路と、前記電子機器と制御用端子を介して電気的に接続され、前記電子機器の操作に応じた信号を得るための制御信号線と、を有し、前記制御回路により、前記制御信号線によって得られる前記電子機器の操作に応じた信号に基づいて、前記切替スイッチの切り換えを行うようにした。


【手続補正５】
【補正対象書類名】明細書
【補正対象項目名】００２４
【補正方法】変更
【補正の内容】
【００２４】
（５）上記（４）の電力供給ユニットにおいて、前記制御回路は、前記制御信号線が前記電池の出力によりプルアップした状態からグランドに接続されることにより電池の出力を前記出力端子に出力するよう前記切替スイッチを切り換えるようにした。


【手続補正６】
【補正対象書類名】明細書
【補正対象項目名】００２５
【補正方法】変更
【補正の内容】
【００２５】
（６）上記（４）または（５）の電力供給ユニットにおいて、前記制御回路は、さらに、前記電池の異常を検知して前記切替スイッチの切り換えを行うようにした。


【手続補正７】
【補正対象書類名】明細書
【補正対象項目名】００２６
【補正方法】変更
【補正の内容】
【００２６】
（７）上記（６）の電力供給ユニットにおいて、前記電池は充電可能な電池であり、前記制御回路は、前記電池の異常として過充電を検知し、前記切替スイッチをオフに切り換えるようにした。


【手続補正８】
【補正対象書類名】明細書
【補正対象項目名】００２７
【補正方法】変更
【補正の内容】
【００２７】
（８）上記（６）の電力供給ユニットにおいて、前記制御回路は、前記電池の異常として、前記電池の出力の過電圧を検知し、前記切替スイッチを切り換えを行うようにした。


【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】変更
【補正の内容】
【００２９】
（９）上記（４）の電力供給ユニットにおいて、前記電池は、リチウムイオンバッテリとした。


【手続補正１１】
【補正対象書類名】明細書
【補正対象項目名】００３０
【補正方法】変更
【補正の内容】
【００３０】
（１０）電力の供給を行う電力供給ユニットと、該電力供給ユニットから供給される電力によって動作する電子機器と、からなるシステムにおいて、前記電力供給ユニットは、電池と、前記電池の出力を、電子機器へ出力するための出力端子と、前記電池から前記出力端子への出力のオン／オフを切り換えるための切替スイッチと、前記スイッチの切り換えを制御する制御回路と、前記制御回路に接続される制御信号線を有し、前記電子機器は、操作者によって操作されるスイッチであって、前記電力供給ユニットの制御信号線と電気的に接続される電源スイッチを有し、前記電力供給ユニットの前記制御回路は、前記電源スイッチの操作による前記制御信号線の信号の状態に応じて、前記切替スイッチを切り換え、前記電池から前記電子機器への電力の出力を制御するようにした。


【手続補正１２】
【補正対象書類名】明細書
【補正対象項目名】００３１
【補正方法】変更
【補正の内容】
【００３１】
（１１）上記（１０）のシステムにおいて、前記電源スイッチは一端がグランドに接続されており、前記制御回路は、前記制御信号線が前記電池の出力によってハイレベルに保持された状態から、前記電源スイッチの操作によりローレベルに変化した場合に、前記スイッチをオンに切り換えるようにした。


【手続補正１３】
【補正対象書類名】明細書
【補正対象項目名】００３２
【補正方法】変更
【補正の内容】
【００３２】
（１２）上記（１１）のシステムにおいて、前記制御信号線は、前記電池の出力によってプルアップされることにより、ハイレベルの状態に保持されるとした。


【手続補正１４】
【補正対象書類名】明細書
【補正対象項目名】００３３
【補正方法】変更
【補正の内容】
【００３３】
（１３）上記（１１）のシステムにおいて、前記制御回路は、前記切替スイッチがオフの状態において、前記制御信号線を電池の出力によりハイレベルの状態で保持し、前記制御信号線がグランドに接続されることによりローレベルに変化した場合に、前記切替スイッチをオフからオンに切り換えるようにした。


【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】変更
【補正の内容】
【００３５】
（１４）上記（１０）のシステムにおいて、前記電源スイッチはタクトスイッチとした。


【手続補正１７】
【補正対象書類名】明細書
【補正対象項目名】００３６
【補正方法】変更
【補正の内容】
【００３６】
（１５）上記（１４）のシステムにおいて、前記電源スイッチは、前記電力供給ユニットの前記制御信号線と電気的に接続され、前記電源スイッチがオンの状態となることにより、前記制御信号線がグランドに接続されるようにした。


【手続補正１８】
【補正対象書類名】明細書
【補正対象項目名】００３７
【補正方法】変更
【補正の内容】
【００３７】
（１６）上記（１０）または（１１）何れかのシステムにおいて、前記電子機器は、前記電力供給ユニットから電力の供給が遮断した状態から供給が行われる状態となったときに、前記電子機器本体のリセット動作を実行する制御手段をさらに有するとした。


【手続補正１９】
【補正対象書類名】明細書
【補正対象項目名】００３８
【補正方法】変更
【補正の内容】
【００３８】
（１７）上記（１０）のシステムにおいて、前記電子機器に設けられる電源スイッチは、操作者により押下された状態においてオンの状態となるスイッチであって、前記電力供給ユニットの制御信号線は、前記電池の出力によりハイレベルに保持された状態において、前記電源スイッチが押下されたとき、ローレベルの状態となり、前記制御回路は、前記制御信号線がローレベルの状態において、前記電池の出力を前記出力端子に出力するよう前記切替スイッチの切り換えを行うようにした。


【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】
【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００４７
【補正方法】削除
【補正の内容】
【手続補正２９】
【補正対象書類名】明細書
【補正対象項目名】００４８
【補正方法】削除
【補正の内容】
【手続補正３０】
【補正対象書類名】明細書
【補正対象項目名】００４９
【補正方法】削除
【補正の内容】
【手続補正３１】
【補正対象書類名】明細書
【補正対象項目名】００５０
【補正方法】変更
【補正の内容】
【００５０】
（１８）上記（１０）のシステムにおいて、前記電子機器は、インクを吐出して記録を行うインクジェット記録装置とした。


【手続補正３２】
【補正対象書類名】明細書
【補正対象項目名】００５１
【補正方法】変更
【補正の内容】
【００５１】
（１９）上記（１０）のシステムにおいて、前記電子機器は、熱エネルギーによりインクを吐出するインクジェット記録装置とした。